(57)【要約】【課題】  遊技者が自分の意志に基づいて何らかの操作や行動を行うことによって、大当たり等に関する情報を保留画像上に表示させることができ、更に、この操作や行動を行うときに、遊技者が面白みを感じる要素を含んだ弾球遊技機を提供する。【解決手段】  入賞球の保留状態を遊技者に報知する保留画像が表示される画像表示手段を含む弾球遊技機であって、弾球された遊技球が流下する遊技盤と、遊技盤に設けられ、遊技球が流入可能な始動入賞口と、遊技球が始動入賞口に流入したことを検出して検出信号を発する入賞検出手段と、遊技者の操作に基づいて操作信号を発する操作手段と、検出信号を受信する毎に保留をするか否かを判定し、保留をする場合には保留画像を画像表示手段に表示し、更に、変化可能な保留画像が表示されている場合には、操作信号を受信すると所定の画像変化当選確率で画像変化抽選処理を行い、画像変化抽選処理の結果が当選の場合に、保留表示画像を変化後画像に変化させる制御手段と、を含む弾球遊技機を提供する。【選択図】      図１４
2005261524.tif 000002
【特許請求の範囲】
【請求項１】
入賞球の保留状態を遊技者に報知する保留画像が表示される画像表示手段を含む弾球遊技機であって、
弾球された遊技球が流下する遊技盤と、
前記遊技盤に設けられ、遊技球が流入可能な始動入賞口と、
遊技球が前記始動入賞口に流入したことを検出して検出信号を発する入賞検出手段と、
遊技者の操作に基づいて操作信号を発する操作手段と、
前記検出信号を受信する毎に保留をするか否かを判定し、保留をする場合には前記保留画像を前記画像表示手段に表示し、更に、変化可能な前記保留画像が表示されている場合には、前記操作信号を受信すると所定の画像変化当選確率で画像変化抽選処理を行い、前記画像変化抽選処理の結果が当選の場合に、前記保留表示画像を変化後画像に変化させる制御手段と、
を含むことを特徴とする弾球遊技機。
【請求項２】
前記変化後画像に特別遊技に移行する可能性を示す情報が含まれ、特別遊技に移行する可能性が高い情報を含む前記変化後画像の前記画像変化当選確率は、前記可能性が低い情報を含む前記変化後画像の前記画像変化当選確率よりも低く設定されていることを特徴とする請求項１に記載の弾球遊技機。
【請求項３】
前記制御手段が、抽選により選択された前記保留画像と前記変化後画像と前記画像変化当選確率とに基づいて、前記画像表示手段に画像表示を行うことを特徴とする請求項２に記載の弾球遊技機。
【請求項４】
前記制御手段は、大当たり抽選処理により特別遊技に移行するか否かを判定し、特別遊技に移行する場合には、特別遊技に移行する可能性が高い情報を含む前記変化後画像を、より高い画像当選確率で画像抽選処理により選択することを特徴とする請求項２又は３に記載の弾球遊技機。
【請求項５】
前記操作が、遊技機に設けられた操作ボタンによって行われることを特徴とする請求項１から４の何れか１項に記載の弾球遊技機。
【発明の詳細な説明】
【技術分野】
【０００１】
入賞球を保留する状態になったときに、保留の状態を遊技者に報知するための保留画像が、画像表示装置に表示される弾球遊技機に関する。
【背景技術】
【０００２】
弾球遊技機の一種であるパチンコ遊技機において、近年、遊技盤に画像表示装置を設けたものが普及している。このパチンコ遊技機において、遊技球が始動入賞口に入賞すると、画像表示装置に表示された複数列の図柄を変動させて、スロットゲームを模した図柄遊技を行い、スロットゲームが大当たりとなった場合には、パチンコ遊技を特別遊技に変更して、遊技球が入賞しやすい状態にするものがある。また、多くの場合、図柄の変動中に遊技球が始動入賞口に入賞した場合には、所定数（通常は4個）まで入賞を記憶して入賞球を保留することが可能になっている。
【０００３】
この保留の状態を遊技者に報知するために、ランプや表示素子を点灯させたり、画像表示装置に保留を示す画像を表示させたりする方法が用いられている。更に、実際の図柄遊技で大当たりとなる保留に関して、保留表示に大当たりを予告する内容を含ませることが提案されている。（例えば、特許文献１参照。）具体的には、例えば、大当たりとなる保留を示す表示素子を、所定時間点滅させることによって行われる。
【特許文献１】特開２００４−４９８９３号
【発明の開示】
【発明が解決しようとする課題】
【０００４】
特許文献１に提案されている保留表示における大当たりの予告は、遊技者の意思に関係なく表示され、遊技者が自分の意志に基づいて予告を見る、見ないについて選択を行うようなことはできない。また、遊技者は、図柄遊技が始まる前に大当たりとなるか否がわかってしまい、弾球遊技自体の興味を失う恐れもある。また、この保留表示に関して、遊技者が何らかの操作を行うと言った遊技的な要素は無いので、遊技者が保留表示に継続して関心を持つようなことは考えにくい。
【０００５】
従って、本発明の目的は、上記の課題を解決し、遊技者が自分の意志に基づいて何らかの操作や行動を行うことによって、大当たり等に関する情報を保留画像上に表示させることができ、更に、この操作や行動を行うときに、遊技者が面白みを感じる要素を含んだ弾球遊技機を提供することにある。
【課題を解決するための手段】
【０００６】
以上のような目的を達成するため、本発明に係る弾球遊技機として、例えば、入賞球の保留状態を遊技者に報知する保留画像が表示される画像表示手段を含む弾球遊技機であって、弾球された遊技球が流下する遊技盤と、遊技盤に設けられ、遊技球が流入可能な始動入賞口と、遊技球が始動入賞口に流入したことを検出して検出信号を発する入賞検出手段と、遊技者の操作に基づいて操作信号を発する操作手段と、検出信号を受信する毎に保留をするか否かを判定し、保留をする場合には保留画像を画像表示手段に表示し、更に、変化可能な保留画像が表示されている場合には、操作信号を受信すると所定の画像変化当選確率で画像変化抽選処理を行い、画像変化抽選処理の結果が当選の場合に、保留表示画像を変化後画像に変化させる制御手段と、を含む弾球遊技機が考えられる。
【０００７】
ここで、「弾球遊技」とは、遊技球を用いた遊技であればよく、「弾球遊技機」としては、パチンコ遊技機のほか、アレンジボールや雀球遊技機のような遊技球によって遊技の進行が定まるあらゆる遊技機が含まれる。また、「操作手段」は、遊技者の四肢の動きを検出して信号を発信するものであればよく、例えば、手の動きを検出するものでも、遊技者が発した音声を検出するものでもよい。検出する手段は、遊技者の操作を電気的に検出するものでも、機械的に検出するものでもよい。また、「画像表示手段」は、保留を示す画像を表示する画像表示装置を含み、画像表示装置としては、例えば、液晶、ブラウン管、ランプ、ＬＥＤ素子等を用いたものが含まれる。画像表示装置は、遊技者が視認できる位置に設置されていればよく、弾球遊技機上だけに設置されるとは限らない。
【０００８】
「保留画像」は、保留を遊技者に報知できるものであればよく、文字情報であっても図形であっても、その組み合わせであってもよい。また、静止画であっても動画であってもよく、更に、音声と画像を組み合わせたものでもよい。「変化後画像」も上記と同様であり、画像の内容は、保留画像と関連するように設定することもできるし、全く異なるものに設定して意外性を与えることもできる。また、全ての保留画像を変化後画像に変化させることもできるし、一部の保留画像のみを変化させることもできる。
【０００９】
「画像変化抽選処理」は、制御手段が操作信号を受信したときに、抽選によって当たりかはずれか、つまり、変化後画像へ変化させるか否かを決定する処理である。抽選は、例えば、乱数を発生させてその値によって、当たりかはずれを決定することが好ましい。また、「画像変化当選確率」とは、各変化後画像に設定された画像変化抽選処理において当たりとなる確率であり、高い画像変化当選確率を設定された場合には、操作信号を受信したときに、保留画像から変化後画像へ変化し易いと言える。
【００１０】
この態様では、遊技者の操作によって保留画像を変化後画像に変化させることができ、変化後画像に異なる画像変化当選確率を設定することによって、操作を行うとすぐに変化する画像もあれば、なかなか変化しない画像もあって、遊技者に操作自体の面白さや意外性を与えることができる。
【００１１】
本発明の弾球遊技機においては、更に、変化後画像に特別遊技に移行する可能性を示す情報が含まれ、特別遊技に移行する可能性が高い情報を含む変化後画像の画像変化当選確率は、可能性が低い情報を含む変化後画像の画像変化当選確率よりも低く設定されていることが考えられる。
【００１２】
この態様では、特別遊技に移行する可能性が高い、つまり、大当たりになる可能性が高い情報を含む変化後画像の場合には、遊技者が操作手段を操作しても、なかなか保留画像から変化後画像に変化せず、可能性が低い情報を含む変化後画像の場合には、操作手段を操作すると、比較的早く変化後画像に変化するような状況を設定することができる。
【００１３】
本発明の弾球遊技機においては、更に、制御手段が、抽選により選択された保留画像と変化後画像と画像変化当選確率とに基づいて、画像表示手段に画像表示を行うことが考えられる。「抽選」は、例えば、乱数を発生させてその値によって、複数の画像の中から１つの画像を選択することが好ましい。保留画像や変化後画像や画像変化当選確率が、複数の候補の中から抽選で選択されるので、遊技者は、思いもかけぬ保留画像や変化後画像や操作に対する応答を体験することができる。保留画像、変化後画像、画像変化当選確率は、各々独立した抽選によって選択することもできるし、あらかじめ保留画像、変化後画像、画像変化当選確率の少なくとも一部を組み合わせて、その組合せの中から抽選により選択することもできる。
【００１４】
本発明の弾球遊技機においては、更に、制御手段は、大当たり抽選処理により特別遊技に移行するか否かを判定し、特別遊技に移行する場合には、特別遊技に移行する可能性が高い情報を含む変化後画像を、より高い画像当選確率で画像抽選処理により選択することも考えられる。
【００１５】
「画像抽選処理」は、上記の変化後画像を選択する「抽選」と同様の処理であり、例えば、乱数を発生させてその値によって、複数の変化後画像の中から１つの変化後画像を選択することが好ましい。また、「画像当選確率」は、各変化後画像に設定された画像抽選処理によって選択される確率を表す。この画像抽選処理、及び、画像当選確率は、保留画像を選択する場合にも同様に用いることができる。この態様によれば、図柄遊技で大当たりとなる場合には、大当たりとなる可能性の高い情報を含んだ変化後画像が表示される可能性が高まるので、情報の内容の信頼度が高まることが期待できる。
【００１６】
本発明の弾球遊技機においては、更に、操作が、遊技機に設けられた操作ボタンによって行われることも考えられる。操作手段の１つとして、遊技者が操作ボタンを押すことによって、操作信号を発信することができる。操作ボタンを押すことは、非常に簡単な操作であり、遊技者がより積極的に操作手段を用いることが期待できる。この操作ボタンは、遊技者は操作できる遊技機上であれば、いかなる場所に設置することができる。
【発明の効果】
【００１７】
本発明に係る弾球遊技機においては、遊技者が自己の意思で操作を行うことによって、保留画像を変化後画像へ変化させることができるので、遊技者が保留画像に関して、従来よりも深い関心を持つことが期待できる。また、遊技者が操作手段を操作した場合に、すぐに保留画像から変化後画像へ変化するときもあれば、なかなか変化しないときもあると言った設定が可能であり、遊技者が飽きずに操作を継続することが期待できる。
【００１８】
更に、遊技者に単なる保留の状態だけではなく、変化後画像を用いて、遊技者に大当たりとなって特別遊技に移行する可能性を示すことができるので、遊技者が弾球遊技自体の興味を増すことが期待できる。また、大当たりとなる可能性の高い情報を含む変化後画像は、遊技者が操作をしてもなかなか変化後画像へ変化しないように設定できるので、例えば、操作を繰り返してもなかなか変化しないときには、遊技者は大当たりの可能性が高いと感じ、遊技者に期待感や面白さを与えることができる。
【００１９】
更に、大当たりして特別遊技に移行する場合には、特別遊技に移行する可能性の高い情報を含んだ変化後画像が選択される確率を高めることによって、情報の信頼性を高めて、遊技者が変化後画像の内容に対する関心を深めることが期待できる。
【発明を実施するための最良の形態】
【００２０】
以下に、本発明の実施形態について図面に基づいて説明する。
【００２１】
（弾球遊技機全般の説明）
図１は、本発明に係る弾球遊技機の一つであるパチンコ遊技機において、１つの実施形態の概略を示す正面図である。
【００２２】
図１に示すように、パチンコ遊技機１０は、外枠１２と、前枠１４と、遊技盤２４と、を含む。外枠１２は、パチンコ遊技機１０の外郭を構成し、方形状の形状を有する。また、外枠１２には、開閉自在に軸支される前枠１４が設けられている。前枠１４には、ガラス扉１６や、遊技球を受けるための上皿１８及び下皿２０や、打球ハンドル２２や、遊技盤２４を収容する収容部等の各種の部材が設けられている。また、このパチンコ遊技機には、上皿１８の左側に、操作ボタン４６が押動可能に設けられている。
【００２３】
＜遊技盤２４＞
遊技盤２４には、レール２６により区画された遊技領域２８が設けられている。遊技領域２８の略中央部には、図柄の画像等の種々の画像を表示する画像表示装置３０が設けられている。さらに、遊技領域２８には、図柄の変動開始の条件を定める始動入賞口３２や、遊技が大当たりとなったときに開閉する特別入賞口３４や、普通図柄変動表示口３６及び３８や、その他複数の一般入賞口３９ａ〜３９ｄや、遊技球の落下に影響を及ぼす風車４０及び４２や、多数の遊技釘（図示せず）や、アウト口４４も設けられている。
【００２４】
上述した打球ハンドル２２を遊技者が回動操作したときには、上皿１８から打球発射部（図示せず）へ遊技球が１個ずつ供給され、遊技球は、打球ハンドル２２の回動操作に応じた強度で、打球発射装置（図示せず）によって遊技領域２８に打球として発射される。
【００２５】
遊技領域２８に発射された打球は、上述した風車や遊技釘との接触を繰り返して移動方向を変えながら流下し、上述した各種の入賞口３２〜３８及び３９ａ〜３９ｄやアウト口４４に流入することとなる。打球が、いずれかの入賞口３２〜３８及び３９ａ〜３９ｄに入賞したときには、所定数の遊技球が賞球として上皿１８又は下皿２０に払い出される。
【００２６】
＜画像表示装置３０＞
上述したように、遊技領域２８の略中央部には、画像表示装置３０が設けられており、動画を含む様々な画像を表示することができる。遊技球が始動入賞口３２に流入（入賞）した場合には、変動図柄を表示し、入賞球を保留する状態では保留画像を表示する。更に、保留画像が変化可能なときには、遊技者による押しボタン４６の操作により、画像変化抽選処理を行い、当選した場合には、画像表示装置３０に表示された保留画像を消して代わりに変化後画像を表示することもできる。
【００２７】
＜始動入賞口３２＞
この始動入賞口３２に打球が入賞したときには、画像表示装置３０に表示された画像が変動表示を開始し図柄遊技が行われる。本パチンコ遊技機１０では、変動する図柄としては数字が用いられているが、その他の図柄も用いることができる。また、図柄変動中に遊技球が始動入賞口３２に流入して入賞球の保留を行う場合には、画像表示装置３０に保留画像を表示し、更に、遊技者が操作ボタン４６を押動操作することによって、保留画像を変化後画像に変化させることもできる。
【００２８】
大当たりになった場合には、遊技者にとって有利な特別遊技が実行される。この特別遊技においては、上述した特別入賞口３４を開放して、遊技球を入賞容易状態にし、遊技球を特別入賞口３４に流入しやすくする。（特別遊技に関する制御処理の詳細な説明は、省略する。）
【００２９】
＜操作ボタン４６＞
上皿１８の左側に設けられた操作ボタン４６は、後述する副制御基板５２に電気的に接続されている。操作者が操作ボタン４６を押動操作したときには、操作信号が発せられて副制御基板５２に送信される。また、操作者が操作ボタン４６から手を離したときには、操作信号の副制御基板５２への供給は停止する。
【００３０】
図２は、パチンコ遊技機１０の背面を示す背面図である。
【００３１】
＜主制御基板５０＞
図２に示すように、背面の下部には主制御基板５０が設けられている。主制御基板５０は、パチンコ遊技機１０の全体の制御を行う。例えば、主制御基板５０は、始動入賞口３２や特別入賞口３４等の入賞口に遊技球が入賞したときに、その入賞口に応じた数の遊技球を賞球として払い出す制御をする。
【００３２】
主制御基板５０は、演算等を行うＣＰＵ（中央処理装置）（図示せず）、パチンコ遊技機１０の全体を制御するためのプログラムを記憶したＲＯＭ（リードオンリーメモリー）（図示せず）、及び各データを一時的に記憶するＲＡＭ（ランダムアクセスメモリー）（図示せず）等を含む。これらのＣＰＵ、ＲＯＭ及びＲＡＭは、入出力バスによって電気的に接続されており、データ信号やアドレス信号が入出力できるようになされている。尚、パチンコ遊技機１０の全体を制御するための処理のうち、入賞、保留記憶処理、及び、保留消化処理を行う処理フローは、後述する図４と図５に示す。
【００３３】
＜副制御基板５２＞
また、主制御基板５０の上部には画像表示装置３０が設けられており、画像表示装置３０の背面には、副制御基板５２が設けられている。この副制御基板５２は、主制御基板５０と電気的に接続されており、主制御基板５０から発せられた制御信号に基づいて画像表示装置３０を制御する。演算等を行うＣＰＵ（中央処理装置）（図示せず）、画像表示装置３０を制御するためのプログラムを記憶したＲＯＭ（リードオンリーメモリー）（図示せず）、及び各データを一時的に記憶するＲＡＭ（ランダムアクセスメモリー）（図示せず）等を含む。尚、ＲＯＭには、後述する弾球遊技、図柄遊技、保留表示を制御するためのプログラムが記憶されており、さらに、保留画像等に用いる画像データも記憶する。これらのＣＰＵ、ＲＯＭ及びＲＡＭは、入出力バスによって電気的に接続されており、データ信号やアドレス信号が入出力できるようになされている。この副制御基板５２によって、画像表示装置３０における画像の表示が制御され、上述した操作遊技、画像遊技の表示の態様が定められる。また、入賞球を保留する場合に、保留画像や変化後画像を画像表示装置３０に表示するための保留画像処理や変化後画像処理を行う処理フローは、後述する図６ａ、ｂと図７に示す。
【００３４】
（機能ブロック図の説明）
図３は、パチンコ遊技機１０における制御機能の概略を示す機能ブロック図である。
【００３５】
パチンコ遊技機１０は、制御手段５００と、入賞検出手段６００と、操作手段４００と、画像表示手段３００とを含む。この制御手段５００は、入賞検出手段６００と、操作手段４００と、画像表示手段３００と電気的に接続されている。
【００３６】
入賞検出手段６００は、始動入賞口３２やその他の入賞口に設置された入賞検出センサ７０を含んでおり、これらの入賞口に遊技球が流入すると、入賞検出センサ７０は検出信号を主制御基板５０に発信する。操作手段４００は操作ボタン４６を含んでおり、パチンコ遊技機１０の遊技者がこの操作ボタンを押すことによって、操作信号を副制御基板５２へ発信する。画像表示手段３００は画像表示装置３０を含み、副制御手段５２に設けられた保留画像処理手段５３０、変化後画像処理手段５５０、及び、図柄画像処理手段５４０から発信される画像信号に基づいて、所定の画像を画像装置３０に表示する。
【００３７】
制御手段５００は、主制御基板５０と副制御基板５２を含む。主制御基板５０は、上述したようにパチンコ遊技機１０の全体の制御を行う。この主制御基板５０は、入賞、保留記憶処理手段５１０、保留消化処理手段５２０、及び、送信手段５６０を含んでいる。
【００３８】
入賞、保留記憶手段５１０は、遊技球が入賞した場合に賞球の払出処理を行い、大当り抽選処理を行い、この大当たり抽選結果は、副制御基板５２へ送信される。具体的には、主制御基板５０の送信手段５６０から副制御基板５２の受信手段５７０へ送信されるが、以下の機能ブロック図の説明においては、単に「副制御基板５２へ送信される」と記載する。また、入賞球を保留するか否かを判定して、保留をする場合には、保留画像表示信号が、副制御基板５２へ送信される。また、大当たり抽選結果を空き保留領域に記憶する。
【００３９】
保留消化処理手段５２０は、変動していた図柄が停止したときに、保留が残っているか否か判定し、残っている場合には、記憶された最初の保留領域の大当たり抽選結果を読み出して、読み出された大当たり抽選結果が、副制御基板５２へ送信される。また、保留画像消去信号が、副制御基板５２へ送信される。
【００４０】
副制御基板５２は保留画像処理手段５３０、図柄画像手段５４０、及び、受信手段５７０を含み、この保留画像処理手段５３０は、変化後画像処理手段５５０を含む。
【００４１】
保留画像処理手段５３０は、副制御基板５２へ送信された保留画像表示信号に基づいて、画像抽選処理によって保留画像を選択し、画像信号を画像処理手段３００へ送信して、この保留画像を画像装置３０へ表示させる。更に、操作手段４００から操作信号を受信したときには、変化後画像処理手段５５０を用いて、変化可能な保留画像を変化後画像へ変化させる。この場合、操作信号を受信した後、画像変化抽選処理を行って、当選したときに変化後画像へ変化させる。また、副制御基板５２へ送信された保留画像消去信号を画像表示手段３００へ送信して、最初の保留領域に対応する保留画像又は変化後画像を消去する。
【００４２】
図柄画像処理手段５４０は、副制御基板５２へ送信された大当たり抽選結果に基づいて、画像信号を画像表示手段３００へ送信して、抽選結果に応じた変動図柄を画像表示装置３０に表示する。（図柄画像処理の詳細な説明は省略する。）
【００４３】
（制御処理の説明）
以下に、上述した主制御基板５０及び副制御基板５２において行われる各種の制御について説明する。以下においては、パチンコ遊技機１０は予め起動されており、上述した主制御基板５０や副制御基板５２においては、制御に用いられる種々の変数の初期化等の起動処理は終えて、パチンコ遊技機１０は定常動作しているものとする。
【００４４】
以下に示す制御処理によって、入賞球を保留する状態となった場合には、所定の保留画像を画像表示手段３００の画像表示装置３０に表示し、更に、遊技者が操作ボタン４６を押動操作したときには、変化可能な保留画像を、画像変化抽選処理の結果によって変化後画像へ変化させることができる。また、保留画像に「ＰＵＳＨ」等のボタン操作を示唆する情報を含む。
【００４５】
また、変化後画像の中には大当たりとなる可能性を示す情報が含まれていることがあり、この大当たりの可能性が高い情報を含む変化後画像は、画像抽選処理で高い画像当選確率で選ばれるように設定されている。更に、この可能性が高い情報を含む変化後画像は、画像変化抽選処理における画像変化当選確率が低く設定されており、遊技者が操作を行ってもなかなか変化しないように設定されている。
【００４６】
ここで、図４と図５は、主制御基板５０において実行されるサブルーチンを示し、図６と図７は、副制御基板５２において実行されるサブルーチンを示す。尚、これらの図４〜図７に示すフローチャートは、主制御基板５０又は副制御基板５２における制御処理を実行するための１つの例を示したにすぎず、この処理手順には限られない。
【００４７】
＜入賞、保留記憶処理＞
図４は、主制御基板５０の入賞、保留記憶処理手段５１０において実行される入賞、保留記憶処理のサブルーチンを示す。この図４に示したサブルーチンは、主制御基板５０で予め実行されているメインプログラム（図示せず）から所定のタイミング毎に呼び出されて繰り返し実行される。本サブルーチンでは、遊技球が始動入賞口３２に入賞したときに大当たり抽選処理を行い、図柄変動を開始させるために、大当たり抽選結果が副制御基板５２へ送信される。具体的には、主制御基板５０の送信手段５６０から副制御基板５２の受信手段５７０への送受信によって行われるが、以下の説明においては、単に「副制御基板５２へ送信される」と記載する。また、入賞時に賞球の払い出しを行う入賞処理を行う。更に、図柄変動中に始動入賞口３２に入賞したときに、賞球を保留するための判定や処理を行い、保留を行う場合には、保留画像を表示するための保留記憶処理が行われ、保留画像表示信号が副制御基板５２へ送信される。
【００４８】
最初に、遊技盤２４を移動している遊技球が始動入賞口３２に入賞したか否かを判断する（ステップＳ１１）。始動入賞口３２には、遊技球が通過したことを検出して検出信号を主制御基板５０に発する入賞検出センサ７０が設けられており、ステップＳ１１の処理は、この検出信号が主制御基板５０に供給されたか否かによって判断する。
【００４９】
まず、ステップＳ１１において、始動入賞口Ｓ１１に入賞していない（ＮＯ）と判別されたときには、更に、他の入賞口に入賞しているか否かを判断する（ステップＳ１９）。他の入賞口の遊技球が入賞した（ＹＥＳ）と判別したときには、払い出し処理（ステップＳ２０）によって所定数の賞球の払い出しを行い、他の入賞口に入賞していない（ＮＯ）と判別されたときには、そのまま一連の処理を終了する。
【００５０】
ステップＳ１１において、遊技球が始動入賞口３２に入賞した（ＹＥＳ）と判別したときには、次に、図柄画像が既に変動中であるかを判断する（ステップ１２）。ステップ１２において、図柄画像が変動していない（ＮＯ）と判別したときには、大当たり抽選処理（ステップＳ１３）を行う。大当たり抽選処理は、乱数を発生させることによって抽選を行い、大当たりであるか否かを定める。そして、この大当たり抽選結果は、副制御基板５２へ送信される（ステップＳ１４）。フローチャートには示されていないが、副制御基板５２の図柄画像処理手段５３０は、この大当たり抽選結果に基づいて、変動図柄を選択し、画像信号を画像表示手段３００に送信して、所定の変動する図柄画像を画像表示装置３０に表示させる。そして、大当たり抽選結果が副制御手段５２へ送信された後、入賞、保留記憶処理手段５１０は、払い出し処理（ステップＳ２０）によって所定の数の賞球を払い出して、一連の処理を終了する。
【００５１】
一方、ステップＳ１２において図柄画像が既に変動中である（ＹＥＳ）と判別したとき、つまり、図柄変動している間に始動入賞口３２に遊技球が入賞したときには、入賞球の保留が可能であるかを否かを判断する（ステップＳ１５）。入賞球を保留できる最大保留可能数をＮmax（ここではＮmax＝４）とすると、既に保留数がＮmaxに達している場合には、それ以上保留ができない（ＮＯ）と判別され、賞球の払い出し処理（ステップＳ２０）を行って一連の処理を終了する。
【００５２】
また、ステップＳ１５において保留が可能（ＹＥＳ）と判別されたときには、ステップＳ１３と同様に、乱数を発生させて大当たり抽選処理を行い（ステップＳ１６）、保留画像表示信号が副制御基板５２へ送信される（ステップＳ１７）。後述するように、副制御基板５２の保留画像処理部５３０は、この保留画像表示信号に基づいて、保留画像を画像表示手段３００に表示する処理を行う。ここで、この保留画像表示信号には、大当たり抽選処理の結果に関する情報（大当たり又ははずれ）も含まれている。
【００５３】
次に、入賞、保留記憶処理手段５１０は、大当たり抽選結果を空いている保留領域へ記憶する（ステップＳ１８）。具体的には、図柄変動中に遊技球が始動入賞口３２に入賞したときに、保留領域１から保留領域ＮまでのＮ個の保留領域のうち、昇順に空いている保留領域に大当たり抽選結果を記憶させていく。その後、上記と同様に、賞球の払い出し処理（ステップＳ２０）を行って一連の処理を終了する。
【００５４】
＜保留消化処理＞
図５は、主制御基板５０の保留消化処理手段５２０において実行される保留消化処理のサブルーチンを示す。この図５に示したサブルーチンも、主制御基板５０で予め実行されているメインプログラム（図示せず）から所定のタイミング毎に呼び出されて繰り返し実行される。本サブルーチンでは、既に変動している図柄が停止したときに、最初（Ｎ＝１）の保留領域の大当たり抽選結果を読み出して、読み出された大当たり抽選結果が副制御基板５２へ送信され、次の図柄変動が開始される。また、最初の保留領域に対応する保留画像を消去させる信号が、副制御基板５２へ送信され、所定の保留画像又は変化後画像が消去される。
【００５５】
最初に、図柄が変動中であるか否かを判断する（ステップＳ３１）。まだ図柄が変動中である（ＹＥＳ）と判別したときには、この処理を終了し、所定のタイミングで再び保留消化サブルーチンを実行する。また、図柄の変動が停止した（ＮＯ）と判別したときには、保留が有るか否かを判断する（ステップＳ３２）。保留が無い（ＮＯ）と判別するときには、そのまま処理を終了し一連の処理を終了する。
【００５６】
ステップＳ３２において、保留有り（ＹＥＳ）と判別するときには、図４のステップＳ１８において記憶した大当たり抽選結果のうち、最初の保留領域（Ｎ＝１）の大当たり抽選結果を読み出す（ステップＳ３３）。そして、保留領域を１つずつシフトする（ステップＳ３４）。シフトするとは、具体的には、保留領域１に記憶されていた大当たり抽選結果を消去し、保留領域２に記憶されていた大当たり抽選結果を保留領域１に移動させ、保留領域３以上に大当たり抽選結果が記憶されていれば、同様にして、保留領域Ｎに記憶されている大当たり抽選結果を、保留流域（Ｎ−１）へ移動させる処理を行う。
【００５７】
引き続いて、保留画像消去信号が、副制御基板５２へ送信される（ステップＳ３５）。後述するが、副制御基板５２の保留画像処理手段５３０は、この保留消去信号に基づいて、最初の保留領域に（図柄変動を開始する保留）に対応した保留画像を消去する処理を行う。続いて、ステップＳ３３で読み出された大当たり抽選結果が、副制御基板５２へ送信され（ステップＳ３６）、一連の処理を終了する。副制御基板５２の図柄画像処理手段５４０は、この大当たり抽選結果に基づいて、再び、画像表示手段３００へ画像信号を送信して、図柄の変動を再開させる。
【００５８】
＜変化後画像処理＞
次に、副制御基板５２側の処理を、図６ａ、６ｂを用いながら説明する。この図６ａ、６ｂに示したサブルーチンは、副制御基板５２で予め実行されているメインプログラム（図示せず）から所定のタイミング毎に呼び出されて繰り返し実行される。図６a、６ｂに示したサブルーチンは、副制御基板５２へ送信された大当たり抽選結果に基づいて、保留画像を画像表示手段３００の画像表示装置３０に表示する処理を行う。更に、操作信号を操作手段４００から受信したときに、変化可能な保留画像について画像変化抽選処理を行い、当選した場合に変化後画像へ変化させる処理を行う。更に、副制御基板５２へ送信された保留画像消去信号に基づいて、保留領域１に対応する左端の保留画像を消去する処理を行う。
【００５９】
最初に、図６ａを用いてフローチャートの前半を説明する。まず、大当たり抽選結果を入賞、保留記憶処理手段５１０から受信したか否かを判断する（ステップＳ５１）。このステップＳ５１は、図４のステップＳ１７に示された大当たり抽選結果の送信処理に対応している。受信していない（ＮＯ）と判別したときには、保留画像を表示する一連の処理は行わずに、図６ｂに示されるステップＳ６２へ進む。
【００６０】
受信した（ＹＥＳ）と判別したしたときには、大当たり抽選結果が大当たりであるか否かを判断する（ステップＳ５２）。そして、大当たりである（ＹＥＳ）と判別したときには、副制御基板５２のＲＯＭに記憶された大当たり用保留画像表を読み出し（ステップＳ５３）、はずれである（ＮＯ）と判別したときには、ＲＯＭに記憶されたはずれ用保留画像表を読み出す（ステップＳ５４）。
【００６１】
ここで、大当たり用保留画像の１つの実施形態を図８に示し、はずれ用保留画像の１つの実施形態を図９に示す。どちらの表も、保留画像の内容は同一であるが、画像抽選処理（ステップＳ５５参照）を行う場合の、各保留画像の画像当選確率が異なる設定になっている。また、変化後画像の内容は、この実施形態では様々なハートの画像で構成され、変化後画像へ変化可能な画像（画像Ｎｏ．１と２）と変化しない画像（画像Ｎｏ．３）の２種類に分かれる。変化可能な保留画像には、ＰＵＳＨという文字が表示されており、遊技者に操作ボタン４６を押させることを示唆する。後述するが、画像表示装置３０に表示される保留画像の一例を図１２〜１４に示す。
【００６２】
図８と図９を比較すると明らかなように、大当たりの場合には、変化可能な保留画像が選択される可能性が高くなり、はずれの場合には、変化しない保留画像が選択される可能性が高くなっている。従って、大当たりの場合には、変化後画像を見る可能性が高くなり、大当たりの可能性を示す情報を得る可能性も高くなる。
【００６３】
ステップＳ５３またはＳ５４で、大当たり又ははずれに応じて図８または図９に示す保留画像表を読み出した後、乱数を発生させて画像抽選処理を行い、その中から１つの保留画像を決定する（ステップＳ５５）。そして、画像信号を画像表示手段３００に送信して、決定した保存画像を画像表示装置３０に左詰めで表示させる（ステップＳ５６）。本実施形態においては、図１２に示すように、保存領域１に記憶された保留に対応する保留画像が、画像表示装置３０の左端に表示され、その後、保留領域２から４に記憶された保留に対応する保留画像が左から右へ順番に表示されるようになっている。ただし、保留画像の表示の形態は、このような左詰めに限られず、その他様々な形態が考えられる。
【００６４】
次に選択した保留画像が変化可能な画像であるか否かの判断を行う（ステップＳ５７）。保留画像が変化しない（ＮＯ）と判別したときには、変化後画像の抽選処理等は行わずに、図６ｂに示すステップＳ６２へ進む。
【００６５】
保留画像が変化可能（ＹＥＳ）と判別したときには、画像抽選処理により変化後画像を選択する。まず、大当たり抽選結果が大当たりであるか否かを判断する（ステップＳ５８）。大当たり（ＹＥＳ）と判別したときには、副制御手段５２のＲＯＭに記憶された大当たり用変化後画像表を読み出し（ステップＳ５９）、はずれ（ＮＯ）と判別したときには、ＲＯＭに記憶されたはずれ用変化後画像表を読み出す（ステップＳ６０）。そして、乱数を発生させて画像抽選処理を行い、大当たり、はずれに応じた変化後画像表から１つの変化後画像を決定する（ステップＳ６１）。
【００６６】
ここで、大当たり用変化後画像表の１つの実施形態を図１０に示し、はずれ用変化後画像の１つの実施形態を図１１に示す。
【００６７】
変化後画像の内容は、大当たり用、はずれ用で同一であり、キャラクタを含む様々な形状の画像を含む。更に、画像Ｎｏ．１９からＮｏ．２５に示すように、大当たりする可能性をパーセント表示で遊技者に知らせる情報が含まれている。また、画像Ｎｏ．２６では、大当たり（可能性１００％）の情報が含まれている。また、画像表示装置３０に表示される変化後画像の例が、図１４に示される。
【００６８】
画像変化当選確率については、図１０または図１１の表に示されるように、大当たりの可能性を示す情報を含む変化後画像（画像Ｎｏ．１９〜２６）では、大当たりの可能性が高まるにつれて、画像変化確率が低くなるように設定されている。従って、下記に詳述するように、遊技者が保留画像を変化後画像に変化させようと操作ボタン４６を押したときに、なかなか変化しない場合には、大当たりの可能性が高い情報を含んだ変化後画像が表示される可能性が高くなるので、ボタン操作時に、遊技者の弾球遊技に関する興味を高めることができる。
【００６９】
画像抽選処理の画像当選確率については、図１０の表に示されるように、大当たりの場合には、大当たりの可能性が高い情報を含む変化後画像の、画像抽選処理における画像当選確率が高く設定されており、それらの画像が表示され易いようになっている。逆に、図１１の表に示されるように、はずれの場合には、大当たりの可能性が高い情報が含まれる変化後画像の画像抽選処理における画像当選確率が低く設定されており、それらの画像が表示されにくいようになっている。
【００７０】
また、大当たり抽選処理の結果がはずれの場合には、ハート小緑（画像Ｎｏ．３），大当たり確率０％（画像Ｎｏ．１９）、大当たり確率９５％（画像Ｎｏ．２５）、及び、大当たり（画像Ｎｏ．２６）の当選確率を０にして、画像表示されない（抽選で選択されない）ように設定されている。以上のようにして、大当たり、はずれの各状況に合わせた画像抽選処理によって、変化後画像が選択されるので、変化後画像の情報の信頼性を高めることができる。
【００７１】
次に、図６ｂに示すフローチャートの後半の説明に移る。まず、操作手段４００から操作信号を受信したか否かの判断を行う（ステップＳ６２）。本実施形態では、遊技者がパチンコ遊技機１０上に設置された操作ボタン４６を押動操作することによって、操作信号が副制御基板５２へ送信されるようになっている。操作信号を受信していない（ＮＯ）と判別したときには、そのままステップＳ６６へ進む。もし、操作信号を受信した（ＹＥＳ）と判別したときには、乱数を発生させて画像変化抽選処理を行い（ステップＳ６３）、この抽選処理により当選したか否かを判断する（ステップＳ６４）。上述のように、大当たりの可能性の高い情報を含む変化後画像には、より低い画像変化当選確率が設定されているので、遊技者が操作ボタン４６を押しても、なかなか変化しないような状況が生じ易くなる。
【００７２】
ステップＳ６４の画像変化抽選処理において、当選していない（ＮＯ）と判別したときには、そのままステップＳ６６の処理へ進む。また、当選した（ＹＥＳ）と判別したときには、画像表示装置３０に表示されている変化可能な保留画像のうち、最も左端に近い（保留領域の数Ｎが小さい）保留画像を、変化後画像へ変化させる変化後画像処理を行う（ステップＳ６５）。この変化後画像処理の詳細については後述する。
【００７３】
次に、保留消化処理手段５２０から保留画像消去信号を受信したか否かの判断を行う（ステップＳ６６）。この処理は、図５に示すステップＳ３５に対応する処理である。もし、保留画像消去信号を受信していない（ＮＯ）と判別したときには、一連の処理を終了する。また、保留画像消去信号を受信した（ＹＥＳ）と判別したときには、画像表示装置３０に表示された保留画像または変化後画像のうち左端の（画像領域１の）保留画像または変化後画像を消去し、その右側に（保留領域２以上に）保留画像または変化後画像が表示されている場合には、各々の保留画像を１つ左側へ移す（ステップＳ６７）。この処理は、図５のステップＳ３４に示された大当たり抽選処理結果を保留領域Ｎから保留領域（Ｎ−１）へシフトする処理に対応している。以上の処理を行って、一連の保留画像処理を終了する。
【００７４】
＜変化後画像処理＞
次に、図７を用いて、上述の図６ｂのステップＳ６５に示された変化後画像処理のサブルーチンを説明する。最初に、保留領域番号Ｎに初期値として、１をインプットする（ステップＳ７１）。次に、このＮが最大保留可能数Ｎmax（この実施形態ではＮmax＝４）に達しているか否かを判断する（ステップＳ７２）。もし、Ｎmaxに達していない（ＮＯ）と判別するときには、保留領域Ｎの保留画像が変化可能であるか否かを判断する（ステップＳ７３）。もし、変化可能である（ＹＥＳ）と判別したときには、ステップＳ７５の処理へ進む。また、もし、変化しない（ＮＯ）と判別したときには、保留領域番号Ｎに１を加えて（ステップＳ７４）、ステップＳ７２に処理に戻る。同様にして、ステップＳ７２からステップ７４の処理を繰り返す。もし、ステップＳ７２で、保留領域番号Ｎが最大保留可能数Ｎmaxに達していると判別すれば、一連の処理を終了し、ステップＳ７３で、保留画像領域番号Ｎの保留画像が変化可能と判別すれば、ステップ７５へ進む。そして、保留領域Ｎの保留画像を消去し（ステップＳ７５）、代わりに画像抽選処理で選択した変化後画像を表示する（ステップＳ７６）。以上に処理によって、変化後画像処理のサブルーチンを終了する。
【００７５】
（表示される画像の説明）
次に、図１２〜１４を用いて画像表示装置３０に表示される保留画像と変化後画像を簡単に説明する。図１２と図１３は、画像表示装置３０に表示された画像の例を示し、図の下側には、変動する図柄（３つの数字）が示され、上側は、最大４個までの保留画像または変化後画像が示される。
【００７６】
図１２では、最大保留可能数である４つの保留がなされており、左端の保存領域１の画像は、変化後画像になっている。この変化後画像は、図１０、１１の表に示す画像Ｎｏ．６のイカリを示している。その右側の保存領域２〜４の画像は、全て保留画像である。保留領域２の保留画像は、図８、９の表に示される画像Ｎｏ．１または２のハート大ＰＵＳＨを示し、保存領域３，４の画像は、図８、９の表の画像Ｎｏ．３のハートを示す。また、図１３では、新たな図柄変動が開始されて、図１２の左端の変化後画像が消去されて、右側の３つの保留画像が１つ左側へシフトされたところを示す。
【００７７】
図１４は、保留画像と変化後画像の例を示す。図１４の上側の変化後画像は、図１０、１１の表の画像Ｎｏ．２４の大当たり確率８０％の画像を示し、下側の変化後画像は、図１０、１１の表の画像Ｎｏ．２３の確率５０％の画像を示している。
【００７８】
（その他の実施形態）
本発明に係る弾球遊技機は、上述の実施形態に限られず、その他様々な実施形態が含まれる。
【図面の簡単な説明】
【００７９】
【図１】本発明に係る弾球遊技機の一つであるパチンコ遊技機において、１つの実施形態の概略を示す正面図である。
【図２】パチンコ遊技機１０の背面を示す背面図である。
【図３】パチンコ遊技機１０における制御機能の概略を示す機能ブロック図である。
【図４】入賞、保留記憶処理手段５１０において実行される入賞、保留記憶処理のサブルーチンを示すフローチャートである。
【図５】保留消化処理手段５２０において実行される保留消化処理のサブルーチンを示すフローチャートである。
【図６ａ】保留画像処理手段５３０において実行される保留画像処理のサブルーチンを示すフローチャートである。図６ａはフローの前半を示す。
【図６ｂ】保留画像処理手段５３０において実行される保留画像処理のサブルーチンを示すフローチャートである。図６ｂはフローの後半を示す。
【図７】変化後画像処理手段５５０において実行される変化後画像処理のサブルーチンを示すフローチャートである。
【図８】副制御基板５２のＲＯＭに記憶された大当たり用保留画像表の１つの実施形態を示す表である。
【図９】副制御基板５２のＲＯＭに記憶されたはずれ用保留画像表の１つの実施形態を示す表である。
【図１０】副制御基板５２のＲＯＭに記憶された大当たり用変化後画像の１つの実施形態を示す表である。
【図１１】副制御基板５２のＲＯＭに記憶されたはずれ用変化後画像の１つの実施形態を示す表である。
【図１２】画像表示装置３０に表示された画像の実施例（保留数４）を示す図である。
【図１３】画像表示装置３０に表示された画像の実施例（保留数３）を示す図である。
【図１４】画像表示装置３０に表示される保留画像と変化後画像に実施例を示す図である。
【符号の説明】
【００８０】
２４    遊技盤
３０    画像表示装置
３２    始動入賞口
３４    特別入賞口
４６    操作ボタン
５０    主制御基板
５２    副制御基板
５１０  入賞、保留記憶処理手段
５２０  保留消化処理手段
５３０  保留画像処理手段
５４０  図柄画像処理手段
５５０  変化後画像処理手段
５６０  送信手段
５７０  受信手段
【図１】
2005261524.tif 000003
【図２】
2005261524.tif 000004
【図３】
2005261524.tif 000005
【図４】
2005261524.tif 000006
【図５】
2005261524.tif 000007
【図６ａ】
2005261524.tif 000008
【図６ｂ】
2005261524.tif 000009
【図７】
2005261524.tif 000010
【図８】
2005261524.tif 000011
【図９】
2005261524.tif 000012
【図１０】
2005261524.tif 000013
【図１１】
2005261524.tif 000014
【図１２】
2005261524.tif 000015
【図１３】
2005261524.tif 000016
【図１４】
2005261524.tif 000017